(57)【要約】【課題】  椅子に座っている間に蓄積される疲労である首のこりを低減できる椅子を提供することを目的とする。【解決手段】座面を上面に有する座部を含む本体部と、座面に腰掛けた状態の使用者が胸を当接させることができる胸当接面と、腰掛けた状態の使用者のあごに下方から当接する上面又は上縁に形成されたあごが嵌入される凹部であるあご当接部と、を有してなる当接部と、腰掛けた状態の使用者が両方の上腿を正面に向かって伸ばすことができるよう、当接部を本体部に対して支持する支持部と、を備えてなる、椅子である。【選択図】図７
2014124192.tif 000002
【特許請求の範囲】
【請求項１】
座面を上面に有する座部を含む本体部と、
座面に腰掛けた状態の使用者が胸を当接させることができる胸当接面と、腰掛けた状態の使用者のあごに下方から当接する上面又は上縁に形成されたあごが嵌入される凹部であるあご当接部と、を有してなる当接部と、
腰掛けた状態の使用者が両方の上腿を正面に向かって伸ばすことができるよう、当接部を本体部に対して支持する支持部と、
を備えてなる、椅子。
【請求項２】
当接部が、腰掛けた状態の使用者の左右の上腕を支持する左上腕支持部及び右上腕支持部を有するものである、請求項１に記載の椅子。
【請求項３】
支持部が、上方に向かって立ち上がるよう下端が本体部に取り付けられると共に上端に当接部が取り付けられる第１支持棒及び第２支持棒であって、腰掛けた状態の使用者の正面に向かって伸ばした両方の上腿を貫通させる上腿貫通穴を第１支持棒と第２支持棒と当接部と本体部とによって取り囲むように形成する一対配設された第１支持棒及び第２支持棒を有してなるものである、請求項１又は２に記載の椅子。
【請求項４】
当接部と本体部との間を連結する第１支持棒のいずれかの位置に、使用者の上腿を通過させることができる通過隙間を形成可能なものである、請求項３に記載の椅子。
【請求項５】
第１支持棒の下端が本体部に着脱自在にされると共に、該下端が本体部から取り外された状態において該下端と本体部との間に通過隙間を形成可能なものである、請求項４に記載の椅子。
【請求項６】
第２支持棒の下端が本体部に対して回動可能に形成されており、第１支持棒の下端を本体部から取り外して第２支持棒の下端を本体部に対して回動させることで第１支持棒の下端と本体部との間に通過隙間を形成するものである、請求項５に記載の椅子。
【請求項７】
上腿貫通穴の少なくとも一部を塞ぐことで背もたれの一部を構成する補助背もたれ部を備えてなるものである、請求項３乃至６のいずれか１に記載の椅子。
【請求項８】
補助背もたれ部が、第１支持棒及び第２支持棒に沿ってスライド自在な板状部材によって形成され、該板状部材の上縁を含む少なくとも一部が当接部の内部に収容可能なものである、請求項７に記載の椅子。
【請求項９】
補助背もたれ部を形成する前記板状部材の少なくとも一部が当接部の内部に収容された状態において、該板状部材が当接部の内部から脱出することを防止する脱出防止部を有するものである、請求項８に記載の椅子。
【請求項１０】
補助背もたれ部を形成する前記板状部材の側縁がスライド自在に嵌入される側縁嵌入溝が第１支持棒及び第２支持棒に連続的に形成されているものである、請求項８又は９に記載の椅子。
【請求項１１】
腰掛けた状態の使用者に対して当接部の高さが、異なる少なくとも２以上の値を取り得るものである、請求項１乃至１０のいずれか１に記載の椅子。
【発明の詳細な説明】
【技術分野】
【０００１】
本発明は、椅子に関し、より詳細には、首のこりを含む座っている間に蓄積される疲労を低減する椅子に関する。
【背景技術】
【０００２】
以前から、椅子は様々な場面や場所において用いられており、座り心地や座ることによる疲労を低減するために様々な椅子が提案されてきた（例えば、特許文献１、特許文献２参照）。
特許文献１には、「長時間の着座あるいは寝姿勢における着座疲労の軽減と、高い安定感が得られ、また、クッション性において体圧分散能力を高め、局部的な圧迫感を与えることのない座り心地の良い椅子およびその製造方法を提供せんとする」（特許文献１の段落番号０００４）ためになされた「椅子の座部や背凭れを、合板等による芯材と、該芯材の表面に形成される発泡ウレタンと、該発泡ウレタンの表面に形成される粘弾性ゲルと、該粘弾性ゲルの表面から前記発泡ウレタンを介して前記芯材の裏面に固定される表皮とで構成した椅子。」（特許文献１の請求項１）が開示されており、これによれば「発泡ウレタンと粘弾性ゲルとを積層した構造であることから、臀部や背中の凹凸に対し、体圧を分散すると共に適切に変形するので、均等な体圧分布が得られ、その結果、着座時の安定感が向上すると共に姿勢保持が容易になり、かつ、長時間の着座においても着座疲労が軽減され、また、粘弾性ゲルの温度伝導性が低いことにより、着座時における蒸れを防止できる。」（特許文献１の段落番号００１６）というものである。
【０００３】
特許文献２には、「特に、下肢に障害を持つ人に対して、長時間に亘る着座作業の場合に、下肢や臀部の凝りや蒸れを効果的に防止することができるとともに、下肢が座面から側方にずれることがなく、かつ快適な座り心地を得ることができるようにした椅子を提供する」（特許文献２の段落番号０００８）ためになされた「座体と、この座体の後方に起立する背凭れとを備えてなる椅子において、座体が、座部基板と、この座部基板上に、中央に窪み部を形成しうるように、正面縦断面視上向きコ字状になるように設けたクッション性を有する周壁部と、この周壁部によって形成された窪み部内に、上面を少なくとも左右の周壁部の上端よりも低く位置するように配置したエアクッションとを備えるものとしたことを特徴とする椅子。」（特許文献２の請求項１）が開示されており、これによれば「座体が、座部基板と、この座部基板上に、中央に窪み部を形成しうるように、正面縦断面視上向きコ字状になるように設けたクッション性を有する周壁部と、この周壁部によって形成された窪み部内に、上面を少なくとも左右の周壁部の上端よりも低く位置するように配置したエアクッションとを備えるものとしてあるため、特に、下肢に障害を持つ人に対して、長時間に亘る着座作業の場合にも、下肢や臀部の凝りや蒸れを効果的に防止することができるとともに、着座者の下肢が座面から側方にずれることがなく、かつ快適な座り心地を得ることができる。」（特許文献２の段落番号００１７）というものである。
【先行技術文献】
【特許文献】
【０００４】
【特許文献１】特開平１１−１８８６７号公報（例えば、要約、発明の詳細な説明中の段落番号０００１〜０００６、００１６、第１図等）
【特許文献２】特開２００９−２９７３１９号公報（例えば、要約、発明の詳細な説明中の段落番号０００１〜００１７、第４図、第５図等）
【発明の概要】
【発明が解決しようとする課題】
【０００５】
前述の通り、特許文献１の椅子は、着座時の安定感が向上すると共に姿勢保持が容易になり、長時間の着座においても着座疲労が軽減される。そして、特許文献２の椅子は、長時間に亘る着座作業の場合にも、下肢や臀部の凝りや蒸れを効果的に防止することができるとともに、着座者の下肢が座面から側方にずれることがなく、かつ快適な座り心地を得ることができる。
しかしながら、特許文献１及び特許文献２のいずれの椅子においても、椅子に座っている間に蓄積される首のこりを低減できるものではなかった。
そこで、本発明では、椅子に座っている間に蓄積される疲労である首のこりを低減できる椅子を提供することを目的とする。
【課題を解決するための手段】
【０００６】
本発明の椅子（以下、「本椅子」という）は、座面を上面に有する座部を含む本体部と、座面に腰掛けた状態の使用者が胸を当接させることができる胸当接面と、腰掛けた状態の使用者のあごに下方から当接する上面又は上縁に形成されたあごが嵌入される凹部であるあご当接部と、を有してなる当接部と、腰掛けた状態の使用者が両方の上腿を正面に向かって伸ばすことができるよう、当接部を本体部に対して支持する支持部と、を備えてなる、椅子である。
本椅子は、本体部と、当接部と、支持部と、を備えてなる。
本体部は座部を含み、座部は本椅子の使用者が座ることができる座面を上面として有する。
当接部は、胸当接面と、あご当接部と、を有してなる。胸当接面は、座面に腰掛けた状態の使用者が胸を当接させることができる位置に存し、通常、座面に腰掛けた状態の使用者が上半身を鉛直からやや前傾させた状態において使用者の胸が当接する位置に配置される。あご当接部は、当接部の上面又は上縁に形成され、座面に腰掛けた状態の使用者のあごを下から当接することで支えるものである。あご当接部は、使用者のあごが嵌入される凹部形状に形成され、凹部にあごを嵌入することで使用者のあごが安定した状態で支えられる。
支持部は、当接部を本体部に対して支持する。この支持部が当接部を本体部に対して支持する状態は、座面に腰掛けた状態の使用者が両方の上腿を正面に向かって伸ばすことができるようにされる。
このように本椅子においては、座面に腰掛けた状態の使用者が両方の上腿を正面に向かって伸ばした状態で、胸当接面に胸を当接させると共にあご当接部（凹部）にあごを嵌入してあごが安定した状態で支えられるので、胸当接面への胸の当接によって使用者が上半身を支える負担を軽減すると共にあご当接部によるあごの支持によって使用者の重たい頭部の重量を使用者の首が支える負担を軽減することにより、椅子に座っている間に蓄積される疲労である首のこりを低減することができる。
【０００７】
本椅子においては、当接部が、腰掛けた状態の使用者の左右の上腕を支持する左上腕支持部及び右上腕支持部を有するものであってもよい。
こうすることで当接部の左上腕支持部及び右上腕支持部が、腰掛けた状態の使用者の左右の上腕を支持することから、使用者の肩が左右の上腕を支える負担を軽減することにより、椅子に座っている間に蓄積される疲労である肩のこりを低減することができる。
左上腕支持部及び右上腕支持部の上腕支持部は、上腕支持部が使用者の上腕の重量の少なくとも一部を支持するものであれば特に制限されるものではなく、例えば、当接部の側面又は側縁に形成された上腕を係合させる窪み、当接部に形成された上腕を貫通させる穴、当接部に形成された上腕を係合させるフック等を例示できる。
【０００８】
本椅子においては、支持部が、上方に向かって立ち上がるよう下端が本体部に取り付けられると共に上端に当接部が取り付けられる第１支持棒及び第２支持棒であって、腰掛けた状態の使用者の正面に向かって伸ばした両方の上腿を貫通させる上腿貫通穴を第１支持棒と第２支持棒と当接部と本体部とによって取り囲むように形成する一対配設された第１支持棒及び第２支持棒を有してなるもの（以下、「両支持棒本椅子」という。）であってもよい。
こうすることで、支持部が、一対配設された第１支持棒及び第２支持棒を有してなり、第１支持棒及び第２支持棒のいずれも下端が本体部に取り付けられると共に上端に当接部が取り付けられることで、当接部を本体部に対して支持する。第１支持棒及び第２支持棒は、第１支持棒と第２支持棒と当接部と本体部とによって取り囲むように穴（上腿貫通穴）を形成し、かかる穴が、腰掛けた状態の使用者の正面に向かって伸ばした両方の上腿を貫通させる上腿貫通穴として機能する（即ち、腰掛けた状態の使用者の正面に向かって伸ばした両方の上腿の左右に一対の第１支持棒及び第２支持棒が配設される。このように伸ばした両方の上腿の左右に一対配設された第１支持棒及び第２支持棒により当接部を本体部に対して支持することで、左右バランス良く十分な強度で当接部を支持することができる。）。腰掛けた状態の使用者の正面に向かって伸ばした両方の上腿をこの上腿貫通穴に貫通させることで、腰掛けた状態の使用者が両方の上腿を正面に向かって伸ばすことができるよう支持部が当接部を本体部に対して支持する。
【０００９】
両支持棒本椅子の場合、当接部と本体部との間を連結する第１支持棒のいずれかの位置に、使用者の上腿を通過させることができる通過隙間を形成可能なもの（以下、「通過隙間形成本椅子」という。）であってもよい。
こうすることで、第１支持棒と第２支持棒と当接部と本体部とによって取り囲まれて形成された上腿貫通穴に、第１支持棒のいずれかの位置に形成される通過隙間を通過させて使用者の上腿を容易に出し入れできるので、本椅子の使用を便ならしめることができる。
【００１０】
通過隙間形成本椅子の場合、第１支持棒の下端が本体部に着脱自在にされると共に、該下端が本体部から取り外された状態において該下端と本体部との間に通過隙間を形成可能なものであってもよい。
通過隙間形成本椅子において第１支持棒の、通過隙間を形成する位置は、第１支持棒の上端が当接部に着脱自在にされることで該上端が当接部から取り外された状態において該上端と当接部との間に通過隙間を形成するような場合（以下、「上端通過隙間形成本椅子」という。）、第１支持棒の上端と下端との間の中間に係脱自在な部分を形成することで該係脱自在な部分を取り外す（開く）ことによって中間に通過隙間を形成するような場合（以下、「中間通過隙間形成本椅子」という。）、第１支持棒の下端が本体部に着脱自在にされることで該下端が本体部から取り外された状態において該下端と本体部との間に通過隙間を形成するような場合（以下、「下端通過隙間形成本椅子」という。）等を例示できる。下端通過隙間形成本椅子とすれば、第１支持棒の移動を大きくすることなく通過隙間をできるだけ下に形成できるので、使用者の上腿を通過隙間を通過させることを容易に行うことができる（上腿貫通穴に上腿を一層容易に出し入れできる）。
【００１１】
下端通過隙間形成本椅子の場合、第２支持棒の下端が本体部に対して回動可能に形成されており、第１支持棒の下端を本体部から取り外して第２支持棒の下端を本体部に対して回動させることで第１支持棒の下端と本体部との間に通過隙間を形成するものであってもよい。
こうすることで、第２支持棒の下端を本体部に対して回動可能に形成すると共に第１支持棒の下端を本体部に着脱自在に形成するという簡単な構成により、第１支持棒の下端を本体部から取り外して第２支持棒の下端を本体部に対して回動させることで第１支持棒の下端と本体部との間に容易に通過隙間を形成できる。
第２支持棒の下端を本体部に対して回動させる回動軸としては、第２支持棒の下端を本体部に対して回動させることで第１支持棒の下端と本体部との間に通過隙間が形成できるものであれば特に制限されないが、ほぼ鉛直な回動軸とすれば回動に伴う位置エネルギー変化が略ないので容易かつ安全に回動させることができる。
【００１２】
両支持棒本椅子の場合、上腿貫通穴の少なくとも一部を塞ぐことで背もたれの一部を構成する補助背もたれ部を備えてなるもの（以下、「補助背もたれ部具備本椅子」という。）であってもよい。
本椅子の使用者が、当接部の胸当接面に胸を当接させる状態（以下、「胸当接状態」という。）から１８０度反対方向になるように座面に腰掛けた状態（以下、「通常椅子状態」という。）において、当接部の胸当接面を背もたれとして用いることができる。この通常椅子状態においては、当接部の胸当接面に加え、上腿貫通穴の少なくとも一部を塞ぐことで背もたれの一部を構成する補助背もたれ部が存することで、使用者の背中に当接する背もたれの面積を補助背もたれ部の分だけ大きくすることができ、通常椅子状態における座り心地を改善することができる。
【００１３】
補助背もたれ部具備本椅子の場合、補助背もたれ部が、第１支持棒及び第２支持棒に沿ってスライド自在な板状部材によって形成され、該板状部材の上縁を含む少なくとも一部が当接部の内部に収容可能なもの（以下、「補助背もたれ収容本椅子」という。）であってもよい。
こうすることで、胸当接状態においては補助背もたれ部を形成する板状部材を当接部の内部に収容することで、腰掛けた状態の使用者の正面に向かって伸ばした両方の上腿を貫通させるための上腿貫通穴を広くとることができると共に、通常椅子状態においては補助背もたれ部を形成する板状部材を第１支持棒及び第２支持棒に沿ってスライドさせ引き出すことで、胸当接状態における広い上腿貫通穴（胸当接状態の使用を容易にする）の形成と通常椅子状態における広い背もたれ面積（通常椅子状態の座り心地改善）とを両立することができる。
【００１４】
補助背もたれ収容本椅子の場合、補助背もたれ部を形成する前記板状部材の少なくとも一部が当接部の内部に収容された状態において、該板状部材が当接部の内部から脱出することを防止する脱出防止部を有するものであってもよい。
胸当接状態においては、補助背もたれ部を形成する前記板状部材の少なくとも一部が当接部の内部に収容された状態が保持され、不意に該板状部材が当接部の内部から脱出することを防止する脱出防止部を有することが好ましい。脱出防止部としては、該板状部材が当接部の内部から不意に脱出することを防止できるものであれば特に限定されるものではないが、例えば、当接部に対して該板状部材を支持する磁石（当接部と該板状部材との一方に取り付けた磁石と、他方に取り付けた磁石又は鋼材と、による）、当接部に対して該板状部材を支持する係止具（例えば、（１）当接部に固定した面ファスナーと、該板状部材に固定した面ファスナーと、による場合。（２）当接部と該板状部材との一方に取り付けたフックと、他方に取り付けた該フックと係合する係合部と、による場合。）等を例示できる。
【００１５】
補助背もたれ収容本椅子の場合、補助背もたれ部を形成する前記板状部材の側縁がスライド自在に嵌入される側縁嵌入溝が第１支持棒及び第２支持棒に連続的に形成されているものであってもよい。
補助背もたれ部を構成する前記板状部材は、第１支持棒及び第２支持棒に沿ってスライド自在とされるので、前記板状部材の側縁がスライド自在に嵌入される側縁嵌入溝が第１支持棒及び第２支持棒に連続的に形成されていれば、第１支持棒に連続的に形成された側縁嵌入溝に前記板状部材の一側縁が嵌入されると共に第２支持棒に連続的に形成された側縁嵌入溝に前記板状部材の他側縁が嵌入されることで、前記板状部材の両側縁が第１支持棒及び第２支持棒の側縁嵌入溝に沿ってスライド自在とされ、前記板状部材を第１支持棒及び第２支持棒に沿って確実にスライド自在とすることができる。
【００１６】
本椅子においては、腰掛けた状態の使用者に対して当接部の高さが、異なる少なくとも２以上の値を取り得るものであってもよい。
当接部は、使用者が胸を当接させる胸当接面と、使用者のあごが嵌入されるあご当接部と、を有してなり、座面に腰掛けた状態の使用者の体形によって胸やあごの座面からの高さが異なる。このため使用者の体形に応じて、座面からの当接部の高さが異なる少なくとも２以上の値をとるように可変とされることで、様々な体形の使用者が快適に使用できる本椅子とすることができる。
【図面の簡単な説明】
【００１７】
【図１】本発明の一実施形態に係る椅子（本椅子）を示す図である。
【図２】図１（ａ）のＡ−Ａ端面図である。
【図３】図１（ｂ）のＢ−Ｂ断面図である。
【図４】図４（ａ）は図３中の矢印Ｅが指した部分の拡大図であり、図４（ｂ）は図４（ａ）に示したＣ−Ｃ断面による断面図である。
【図５】図３中の矢印Ｆが指した部分の拡大図である。
【図６】図１に示した本椅子の当接部を回動させたところを示す右側面図である。
【図７】使用者が座面に腰掛け使用する使用状態を示す右側面図である。
【図８】図７のＢ−Ｂ端面図である。
【図９】図７及び図８の使用状態とは別の使用状態を示す図である。
【図１０】本発明の他の一実施形態に係る椅子（本椅子）を示す右側面図（一部拡大図）である。
【図１１】本発明の別の一実施形態に係る椅子（本椅子）を示す断面図である。
【図１２】図１２は図１１の一部拡大図である。
【図１３】本椅子に用いることができる固定ピンと、固定ピンを付勢する付勢バネと、の別の例を示す断面図である。
【発明を実施するための形態】
【００１８】
以下、本発明の実施の形態を図面を参照して説明する。しかしながら、これらによって本発明は何ら制限されるものではない。
【００１９】
図１は、本発明の一実施形態に係る椅子（本椅子）１１を示す図（詳細には、図１（ａ）は本椅子１１の正面図であり、図１（ｂ）は本椅子１１の右側面図（図１（ａ）中の矢印Ｇ方向から見たところを示す）である。）であり、図２は図１（ａ）のＡ−Ａ端面図であり、図３は図１（ｂ）のＢ−Ｂ断面図であり、図４（ａ）は図３中の矢印Ｅが指した部分の拡大図（理解を容易にするため後述の補助背もたれ板８１は図示していない）であり、図４（ｂ）は図４（ａ）に示したＣ−Ｃ断面による断面図であり、そして図５は図３中の矢印Ｆが指した部分の拡大図である。図１乃至図５を参照して、本椅子１１について説明する。
ここでは本椅子１１は、水平な載置面たる床面２０１に載置された状態で配設されており、大まかには、床面２０１に載置された基礎部２１と、基礎部２１に支持された座部３１と、基礎部２１に下端が取り付けられた一対の連結棒４１、５１と、一対の連結棒４１、５１の上端に取り付けられた当接部６１と、当接部６１の内部に一部が収容された補助背もたれ板８１と、を備えてなる。
【００２０】
基礎部２１は、先端が床面２０１に当接すると共に基端が互いに取り付けられた棒状基礎部２３ａ、２３ｂ、２３ｃ、２３ｄ（放射状に配設されている）と、棒状基礎部２３ａ、２３ｂ、２３ｃ、２３ｄの互いに取り付けられた基端に下端が取り付けられ床面２０１に対して垂直（ここでは略鉛直）に立ち上がるように配設された柱状基礎部２５と、柱状基礎部２５の上端に取り付けられ座部３１を支持する板状基礎部２７（特に図１（ｂ）参照）と、板状基礎部２７の一縁に取り付けられた連結棒取付部２９ａ、２９ｂと、を有してなる。連結棒取付部２９ａ、２９ｂいずれも、上方に開放された円柱状の内部空間を有しており、後述の通り、かかる円柱状の内部空間に連結棒４１、５１の下端部分を受け入れることで連結棒４１、５１を支持する。
【００２１】
座部３１は、基礎部２１の板状基礎部２７の上面に載置された状態で固定されており、その上面は使用者（不図示）が腰掛ける座面３３を形成している。座部３１は、座面３３と板状基礎部２７上面との間にスポンジ状の弾力性のある部材を内包しており、これにより座面３３が柔らかで使用者（不図示）が座面３３に快適に腰掛けることができる。なお、このような座部３１及び基礎部２１については、従来の椅子に類似した構成である。
【００２２】
連結棒４１は、連結棒取付部２９ａの上方に開放された円柱状の内部空間に下端部分が嵌入されることで取り付けられた下部連結棒４３と、下部連結棒４３の上端部分を内嵌する上部連結棒４５と、上部連結棒４５に穿設されたピン嵌入孔に遊嵌された固定ピン４７と、固定ピン４７の先端を上部連結棒４５に内嵌された下部連結棒４３に向けて付勢する付勢バネ４９と、を有してなる。
【００２３】
下部連結棒４３は、直円柱形状を有しており、連結棒取付部２９ａの該円柱状の内部空間に下端がちょうど嵌入され、そして嵌入された状態において連結棒取付部２９ａに対して下部連結棒４３がその軸（下部連結棒４３が形成する該直円柱形状の軸）を中心に回動可能に支持されている。そして、下部連結棒４３の上端近傍には、固定ピン４７の先端が嵌入されるピン嵌入凹部４３ｈ１、４３ｈ２、４３ｈ３が形成されている（図４（ａ）参照）。ピン嵌入凹部４３ｈ１、４３ｈ２、４３ｈ３は、下部連結棒４３が形成する該直円柱形状の軸を含む一平面Ｐ（図４（ａ）が示す断面に一致する。図４（ｂ）に点線にて示す。）に沿って等間隔に形成されている。加えて、下部連結棒４３には、その上端からその長手方向（下部連結棒４３が形成する該直円柱形状の軸に沿った方向）の所定位置まで連続的にスライド溝４４が形成されている。スライド溝４４の該長手方向に対して垂直な断面形状は、該長手方向のいずれの位置においても同じであり、詳細には、一平面Ｐに対して垂直な平面に沿った奥面４４ａと一平面Ｐに対して平行な平面に沿った一対の側面４４ｂ、４４ｃとによってスライド溝４４は規定されている（図４（ｂ）参照）。
【００２４】
上部連結棒４５は、下方に開放された円柱状の内部空間４５ｃを有しており（図４（ａ）参照）、上部連結棒４５の内部空間４５ｃには下部連結棒４３の上端部分が内嵌されている。内部空間４５ｃに内嵌された下部連結棒４３の上端部分近傍に形成されたピン嵌入凹部４３ｈ１には、付勢バネ４９により付勢された固定ピン４７の先端部分が嵌入されており、これによって上部連結棒４５と下部連結棒４３との相対的位置が固定されている。なお、固定ピン４７の頭部分４７ｂを把持し、付勢バネ４９の付勢力に抗して固定ピン４７の先端部分をピン嵌入凹部４３ｈ１から引き抜いて、上部連結棒４５と下部連結棒４３との相対的位置を変えて、ピン嵌入凹部４３ｈ２、４３ｈ３に固定ピン４７の先端部分を嵌入することで連結棒４１の長さを変更することができる。そして、上部連結棒４５にはその上端から連続的にスライド溝４６が形成されている。スライド溝４６の該長手方向に対して垂直な断面形状は、該長手方向のいずれの位置においても同じであり、詳細には、一平面Ｐに沿ってスライド溝４４と略同じ幅で形成されている。これらスライド溝４６及びスライド溝４４には補助背もたれ板８１の一縁が嵌入された状態でスライド移動するためのものである。
【００２５】
連結棒５１は、連結棒取付部２９ｂの上方に開放された円柱状の内部空間に下端部分が嵌入されることで取り付けられた下部スライド筒５２と、下部スライド筒５２に上方から下端が内嵌され取り付けられた下部連結棒５３と、下部スライド筒５２に穿設されたピン嵌入孔に遊嵌された固定ピン５４ｐと、固定ピン５４ｐの先端を下部スライド筒５２に内嵌された下部連結棒５３に向けて付勢する付勢バネ５４ｓと、下部連結棒５３の上端部分を内嵌する上部連結棒５５と、上部連結棒５５に穿設されたピン嵌入孔に遊嵌された固定ピン５７と、固定ピン５７の先端を上部連結棒５５に内嵌された下部連結棒５３に向けて付勢する付勢バネ５９と、を有してなる。
【００２６】
下部スライド筒５２は、上下の両端が開放された中空の直円筒形状（下部スライド筒５２の内部空間５２ｃは直円柱形状をなす）を有しており、連結棒取付部２９ｂの円柱状の内部空間に下端側が嵌入されている。下部スライド筒５２は、力を上方に加えることで連結棒取付部２９ｂの円柱状の内部空間から下端側を引き抜くことができ、また再び、連結棒取付部２９ｂの円柱状の内部空間に上方から下端側を差し込むことができる。
【００２７】
下部連結棒５３は直円柱形状を有しており、その下端側は下部スライド筒５２の内部空間５２ｃに内嵌されている。
内部空間５２ｃに内嵌された下部連結棒５３の下端部分近傍に形成されたピン嵌入凹部５３ｈａには、付勢バネ５４ｓにより付勢された固定ピン５４ｐの先端部分が嵌入されており、これによって下部スライド筒５２と下部連結棒５３との相対的位置が固定されている。なお、固定ピン５４ｐの頭部分５４ｐｂを把持し、付勢バネ５４ｓの付勢力に抗して固定ピン５４ｐの先端部分をピン嵌入凹部５３ｈａから引き抜くことで、下部連結棒５３に対して下部スライド筒５２を上方に移動させ、連結棒５１下端の連結棒取付部２９ｂへの係合を解くことができる。また、下部連結棒５３に対して下部スライド筒５２を上方に移動させた状態（連結棒５１下端の連結棒取付部２９ｂへの係合を解いた状態）から、再び、下部連結棒５３に対して下部スライド筒５２を下方に移動させて連結棒取付部２９ｂの円柱状の内部空間に上方から下部スライド筒５２の下端側を差し込むことで連結棒５１下端を連結棒取付部２９ｂへ係合させることができる（このとき付勢バネ５４ｓの付勢力により固定ピン５４ｐの先端部分がピン嵌入凹部５３ｈａにうまく嵌入される。）。
下部連結棒５３には、下部連結棒４３と同様、その上端からその長手方向（下部連結棒５３が形成する該直円柱形状の軸に沿った方向）の所定位置まで連続的にスライド溝５４が形成されている。スライド溝５４の該長手方向に対して垂直な断面形状は、該長手方向のいずれの位置においても同じであり、スライド溝４４と同様の形状を有している。
【００２８】
下部連結棒５３の上端近傍の構造（図３中、矢印Ｎが指す部分。下部連結棒５３の上端近傍、上部連結棒５５、固定ピン５７及び付勢バネ５９の構成）は、上述の図３中の矢印Ｅが指す部分（図４参照）と同様になっている。
上部連結棒５５は、下方に開放された円柱状の内部空間５５ｃを有しており、上部連結棒５５の内部空間５５ｃには下部連結棒５３の上端部分が内嵌されている。内部空間５５ｃに内嵌された下部連結棒５３の上端部分近傍には、下部連結棒４３の上端部分近傍と同様にピン嵌入凹部５３ｈ１が形成されており、付勢バネ５９により付勢された固定ピン５７の先端部分が嵌入されている。これによって上部連結棒５５と下部連結棒５３との相対的位置が固定されている。なお、固定ピン５７の頭部分を把持し、付勢バネ５９の付勢力に抗して固定ピン５７の先端部分をピン嵌入凹部５３ｈ１から引き抜いて、上部連結棒５５と下部連結棒５３との相対的位置を変えて、ピン嵌入凹部５３ｈ２、５３ｈ３に固定ピン５７の先端部分を嵌入することで連結棒５１の長さを変更することができる。そして、上部連結棒５５にはその上端から連続的にスライド溝５６が形成されている。スライド溝５６の該長手方向に対して垂直な断面形状は、該長手方向のいずれの位置においても同じであり、スライド溝５４と略同じ幅で形成されている。これらスライド溝５６及びスライド溝５４は補助背もたれ板８１の他縁が嵌入された状態でスライド移動するためのものである。
なお、ピン嵌入凹部５３ｈ１、５３ｈ２、５３ｈ３は、ピン嵌入凹部４３ｈ１、４３ｈ２、４３ｈ３に対応する位置に形成されており、例えば、固定ピン５７の先端部分をピン嵌入凹部５３ｈ１に嵌入すると共に固定ピン４７の先端部分をピン嵌入凹部４３ｈ１に嵌入すると連結棒４１の上端と連結棒５１の上端とが同じ高さになり、固定ピン５７、４７をピン嵌入凹部５３ｈ２とピン嵌入凹部４３ｈ２とに嵌入した場合やピン嵌入凹部５３ｈ３とピン嵌入凹部４３ｈ３とに嵌入した場合も同様に連結棒４１の上端と連結棒５１の上端とが同じ高さになる。
【００２９】
当接部６１は、一対の連結棒４１、５１の上端に取り付けられることで支持されており、全体としては所定の厚みを有する板状の形状を有している。なお、当接部６１は、後述するように使用者（不図示）があごを載せたりもたれかかることで力が加わるので、それに耐えるような骨部材（不図示。一対の連結棒４１、５１の上端に取り付けられている。）が内蔵されている。
当接部６１は、座面３３に腰掛けた使用者（不図示）の胴部に面する表面６１ａと、背面６１ｂと、を有してなり、表面６１ａと背面６１ｂとに連なるように上縁部６２、一方の側縁６３、他方の側縁６４及び下縁６５が形成されている。表面６１ａと上縁部６２と側縁６３と側縁６４とは、使用者（不図示）に当接することを考慮し、柔軟で弾力を有する材料によって形成されている。
上縁部６２の略中心には、下方に窪んだ上縁窪み６２ｄが形成されている。上縁窪み６２ｄは、使用者（不図示）のあごの下面や首の後の曲面にほぼ沿うような曲面に形成されており、これによって使用者（不図示）があごの下面や首の後を上縁窪み６２ｄに快適に担持させることができる。
【００３０】
一方の側縁６３の下部には、他方の側縁６４方向に窪んだ一方窪み６３ｄが形成されている。一方窪み６３ｄは、使用者（不図示）の左上腕の曲面にほぼ沿うような曲面に形成されており、これによって使用者（不図示）が左上腕を一方窪み６３ｄに快適に係合させることができる。
同様に、他方の側縁６４の下部には、一方の側縁６３方向に窪んだ他方窪み６４ｄが形成されている。他方窪み６４ｄは、使用者（不図示）の右上腕の曲面にほぼ沿うような曲面に形成されており、これによって使用者（不図示）が右上腕を他方窪み６４ｄに快適に係合させることができる。
下縁６５は平面に略沿って形成されており、そのほぼ中央には、当接部６１の内部空間６７が外部に連通する開口６８が形成されている。内部空間６７は、ここでは直方体形状をほぼなし、該直方体の一面が開口６８を形成している。内部空間６７がなす該直方体の３辺ｘ、ｙ、ｚ（但し、長さはｘ＞ｙ＞ｚ）のうち辺ｚが表面６１ａ及び背面６１ｂに垂直になると共に、辺ｘと辺ｙとを含むｘｙ面との距離とｘｙ面に平行な該直方体の面との距離とが等しい平面に連結棒４１の中心軸（下部連結棒４３がなす直円柱形状の軸）と連結棒５１の中心軸（下部連結棒５３がなす直円柱形状の軸）とが存する（なお、連結棒４１の中心軸（下部連結棒４３がなす直円柱形状の軸）と連結棒５１の中心軸（下部連結棒５３がなす直円柱形状の軸）と辺ｙとは互いに略平行である。）。
【００３１】
補助背もたれ板８１は、本椅子１１を通常の椅子として使用する際（通常椅子状態）、使用者（不図示）の背を支持するためのものであり、かかる場合には、内部空間６７から開口６８を経て下方に引き出されて使用されるが、使用者（不図示）が当接部６１の表面６１ａに胸を当接させる際（胸当接状態）には図１〜図３に示すように補助背もたれ板８１の一部（ここでは下端近傍を除く部分）が内部空間６７に収容される。補助背もたれ板８１は、通常椅子状態において使用者（不図示）の背を支持するのに十分な強度を有すると共に、使用者（不図示）の背に面する当接面８１ａは柔軟な材料によって形成されている。
補助背もたれ板８１は、略長方形の当接面８１ａ及び裏面８１ｂ（図２参照）を有する直方体形状をなしており、下端８１ｃ近傍を除く部分が当接部６１の内部空間６７に収容（遊びをもって内嵌）される。補助背もたれ板８１の上端に沿って磁石８２が配設されており、下端８１ｃ近傍を除く部分が当接部６１の内部空間６７に収容された状態において、磁石８２に対応する当接部６１の内部空間６７の位置（磁石８２を吸着する位置）に磁石６９が配設されている。これら磁石６９と磁石８２との吸引力によって、補助背もたれ板８１の下端８１ｃ近傍を除く部分が当接部６１の内部空間６７に収容された状態が保持され、かかる状態において開口６８から下方に突出した補助背もたれ板８１の下端８１ｃ近傍を把持し補助背もたれ板８１に下方への力を加えることで（磁石６９と磁石８２との吸引力に抗し）補助背もたれ板８１を下方に引き出すことができる。このように下方に引き出された補助背もたれ板８１は、その側縁８１ｄ１（図３参照）がスライド溝４６及びスライド溝４４に嵌入された状態でスライド可能であると共に、その側縁８１ｄ２（図３参照）がスライド溝５６及びスライド溝５４に嵌入された状態でスライド可能である。
【００３２】
次いで、本椅子１１の使用方法を説明する。
図６は、本椅子１１の当接部６１を連結棒４１を中心に９０度回動させたところを示す右側面図（図１（ｂ）と同様の方向から見たところを示している）である。図１〜図５の状態から、固定ピン５４ｐの頭部分５４ｐｂを把持し、付勢バネ５４ｓの付勢力に抗して固定ピン５４ｐの先端部分をピン嵌入凹部５３ｈａから引き抜き、下部連結棒５３に対して下部スライド筒５２を上方に移動させて連結棒５１下端の連結棒取付部２９ｂへの係合を解いた後、当接部６１を連結棒４１を中心に９０度回動させることで図６に示すような状態となる。また、連結棒取付部２９ａに対して下部連結棒４３は回動可能である。なお、連結棒５１下端の連結棒取付部２９ｂへの取付はここでは下部スライド筒５２の嵌入によっているが、連結棒５１下端及び連結棒取付部２９ｂの一方に設けた磁石と他方に設けた磁石又は鋼材との吸引力によることもできる。
図６に示すような状態において、使用者が座部３１の座面３３に腰掛ける（図７に示す使用者１０１のように腰掛ける）。その後、図１〜図５に示したように当接部６１を連結棒４１を中心に９０度回動させた後、連結棒５１下端を連結棒取付部２９ｂへ係合させる。この連結棒５１下端の連結棒取付部２９ｂへの係合は、詳しくは、下部連結棒５３に対して下部スライド筒５２を下方に移動させて連結棒取付部２９ｂの円柱状の内部空間に上方から下部スライド筒５２の下端側を差し込み、付勢バネ５４ｓの付勢力により固定ピン５４ｐの先端部分をピン嵌入凹部５３ｈａに嵌入させればよい。
【００３３】
そして、使用者１０１が当接部６１の表面６１ａに胸を当接させ（胸当接状態）、使用者１０１があご１０３を上縁部６２の上縁窪み６２ｄに担持させると共に、使用者１０１が左上腕１０４を一方窪み６３ｄに係合させ、使用者１０１が右上腕１０５を他方窪み６４ｄに係合させることで本椅子１１を使用することができる。図７はかかる状態を示す右側面図（図１（ｂ）及び図６と同様の方向から見たところを示している）であり、図８は図７のＢ−Ｂ端面図である。図７及び図８に示す通り、基礎部２１と座部３１とを含む本体部、連結棒４１、連結棒５１及び当接部６１によって取り囲まれた上腿貫通穴９１を使用者１０１の左上腿１０７ａ及び右上腿１０７ｂが貫通している。そして、使用者１０１のあご１０３は上縁部６２の上縁窪み６２ｄに嵌入され担持されると共に、使用者１０１の左上腕１０４は一方窪み６３ｄに係合し、使用者１０１の右上腕１０５は他方窪み６４ｄに係合している。あご１０３が担持されることで頭部１０２の重さを支える首の負荷を軽減することができる（首のこり等を減少）と共に、左上腕１０４の一方窪み６３ｄへの係合と右上腕１０５の他方窪み６４ｄへの係合により両腕の重さを支える肩の負荷を軽減することができる（肩こり等を減少）。なお、ピン嵌入凹部４３ｈ１、４３ｈ２、４３ｈ３のいずれに固定ピン４７の先端部分を嵌入するかにより連結棒４１の長さを変更し、ピン嵌入凹部５３ｈ１、５３ｈ２、５３ｈ３のいずれに固定ピン５７の先端部分を嵌入するかにより連結棒５１の長さを変更することで、当接部６１の高さを調節することができる。
図７及び図８の使用状態を使用者１０１が終了するには、両上腕１０４、１０５とあご１０３の本椅子１１からの係合を解き、図６のように当接部６１を連結棒４１を中心に９０度回動させて使用者１０１を本椅子１１から解放すればよい。
【００３４】
図９は、図７及び図８の使用状態とは別の使用状態（通常椅子状態）を示す図である。図９（ａ）は、図１（ａ）に示す状態の本椅子１１において、開口６８から下方に突出した補助背もたれ板８１の下端８１ｃ近傍を把持し補助背もたれ板８１を内部空間６７から下方に引き出したところを示す正面図（図１（ａ）と同じ方向から見たところを示している）である。補助背もたれ板８１は内部空間６７から下方に引き出される際、側縁８１ｄ１（図３参照）がスライド溝４６及びスライド溝４４に嵌入されることで案内された状態で下方にスライドすると共に、側縁８１ｄ２（図３参照）がスライド溝５６及びスライド溝５４に嵌入されることで案内された状態で下方にスライドする。
このように補助背もたれ板８１が内部空間６７から下方に引き出され、殆どの当接面８１ａが露出した状態では、図９（ｂ）のように使用者１０１は、当接部６１及び補助背もたれ板８１を背もたれとして使用する（表面６１ａ及び当接面８１ａが使用者１０１の背中に当接する）ように座面３３に腰掛けることで、本椅子１１を通常の椅子として使用することができる。なお、このときピン嵌入凹部４３ｈ１、４３ｈ２、４３ｈ３のいずれに固定ピン４７の先端部分を嵌入するかにより連結棒４１の長さを変更し、ピン嵌入凹部５３ｈ１、５３ｈ２、５３ｈ３のいずれに固定ピン５７の先端部分を嵌入するかにより連結棒５１の長さを変更することで、当接部６１の高さを調節することができる。例えば、首の後１０８を上縁部６２の上縁窪み６２ｄに担持させる場合であれば、図９（ｂ）の状態よりも当接部６１を高くするようにしてもよい。
【００３５】
図１０（ａ）は、本発明の他の一実施形態に係る椅子（本椅子）２１１を示す右側面図（一部拡大図）である。本椅子２１１は、本椅子１１に比して連結棒５１及び連結棒取付部２９ｂが連結棒２５１及び連結棒取付部２２９ｂになった点が異なるがその余は本椅子１１と同様であるので、ここでは連結棒２５１及び連結棒取付部２２９ｂについて説明をし、本椅子１１と同様の説明は省略する。なお、本椅子１１と異なり、本椅子２１１においては連結棒取付部２９ａに対して下部連結棒４３は回動不可能とされている。
連結棒取付部２２９ｂは、所定の間隔を隔てて互いに平行に配設された一対の板状部材と、該一対の板状部材に形成されたピン嵌入孔に貫入される固定ピン２５２（該一対の板状部材の一方２２９ｂ１から他方（図にあらわれない）に向けて貫入される）と、固定ピン２５２を該一対の板状部材のピン嵌入孔に嵌入する方向に付勢する付勢バネ（該一対の板状部材の一方２２９ｂ１から他方に向けて固定ピン２５２を付勢する）と、を含んでなる。
連結棒２５１は、所定の間隔を隔てて互いに平行に当接部６１の下縁６５に取り付けられた一対の板状部材（一対の板状部材の一方２５２ａのみが図示されている）と、該一対の板状部材に形成されたピン嵌入孔に貫入される固定ピン２５３（該一対の板状部材の一方２５２ａから他方に向けて貫入される）と、固定ピン２５３を該一対の板状部材のピン嵌入孔に嵌入する方向に付勢する付勢バネ（該一対の板状部材の一方２５２ａから他方に向けて固定ピン２５３を付勢する）と、一端近傍に固定ピン２５３を嵌入するピン嵌入孔２５４が複数（ここでは３）形成され該一対の板状部材の間に該一端が挟まれた状態で固定ピン２５３を中心に回動自在な回動棒２５５と、を有してなる。回動棒２５５の他端側には、連結棒取付部２２９ｂの固定ピン２５２を嵌入するピン嵌入孔２５６（図１０（ｂ）参照）が形成されており、図１０（ａ）に示すように回動棒２５５の他端が連結棒取付部２２９ｂの前記一対の板状部材の一方２２９ｂ１と他方との間に挟まれた状態で固定ピン２５２がピン嵌入孔２５６に嵌入された状態では連結棒２５１が当接部６１を支持する（即ち、図１０（ａ）の状態が本椅子１１における図１〜図３の状態に相当する。）。図１０（ａ）の状態から固定ピン２５２をピン嵌入孔２５６から抜き、回動棒２５５を固定ピン２５３を中心に回動（はね上げる）させた状態が図１０（ｂ）（図示及び理解を容易にするため連結棒４１は図示していない）に示されている。図１０（ｂ）においては、回動棒２５５の他端と連結棒取付部２２９ｂとの間に通過隙間３０１が形成されており、この通過隙間３０１を経て使用者１０１の左上腿１０７ａ及び右上腿１０７ｂを、基礎部２１と座部３１とを含む本体部、連結棒４１、連結棒２５１及び当接部６１によって取り囲まれた上腿貫通穴に出し入れすることができる（即ち、図１０（ｂ）の状態が本椅子１１における図６の状態に相当する。）。即ち、本椅子２１１は図１０（ｂ）及び図１０（ａ）の両状態をとることで本椅子１１と同様に使用することができる。
なお、本椅子１１と同様、本椅子２１１においても、ピン嵌入凹部４３ｈ１、４３ｈ２、４３ｈ３のいずれに固定ピン４７の先端部分を嵌入するかにより連結棒４１の長さを変更し、複数のピン嵌入孔２５４のいずれに固定ピン２５３を嵌入するかにより連結棒２５１の長さを変更することで、当接部６１の高さを調節することができる。
【００３６】
図１１は、本発明の別の一実施形態に係る椅子（本椅子）３１１を示す断面図（本椅子１１における図３と同様の断面を示している）であり、図１２は図１１の一部拡大図（図１２（ａ）は図１１中の矢印Ｊにより指された部分の拡大図（一部省略）であり、図１２（ｂ）は図１１中の矢印Ｋにより指された部分の拡大図である。）である。図１１及び図１２を参照して、本椅子３１１について説明する。
本椅子３１１は、基礎部２１、座部３１、当接部６１及び補助背もたれ板８１は本椅子１１と同様であり、一対の連結棒３４１、３５１が異なるのみでその余は本椅子１１と同様であるので、ここでは連結棒３４１、３５１について説明をし、本椅子１１と同様の説明は省略する。なお、本椅子３１１においては、連結棒取付部２９ａに対して下部連結棒３４３は回動不可能とされている。
【００３７】
連結棒３５１は、連結棒取付部２９ｂの上方に開放された円柱状の内部空間に下端部分が嵌入されることで取り付けられた下部連結棒３５３（直円柱形状）と、下部連結棒３５３の上端部分を内嵌する上部連結棒３５５と、上部連結棒３５５に穿設されたピン嵌入孔に遊嵌された固定ピン３５７と、固定ピン３５７の先端を上部連結棒３５５に内嵌された下部連結棒３５３に向けて付勢する付勢バネ３５９と、を有してなる。
なお、図１２（ｂ）に示すように、ここでは連結棒取付部２９ｂにはピン嵌入孔が穿設されており、このピン嵌入孔には固定ピン２９ｂｂが遊嵌されると共に、固定ピン２９ｂｂの先端を連結棒取付部２９ｂに内嵌された下部連結棒３５３に向けて付勢する付勢バネ３５２によって、固定ピン２９ｂｂの先端が下部連結棒３５３下端近傍に形成されたピン嵌入窪み３５３ｆに確実に嵌入される。これにより連結棒取付部２９ｂに下部連結棒３５３が確実に取り付けられている。固定ピン２９ｂｂの頭部分を把持し、付勢バネ３５２の付勢力に抗して固定ピン２９ｂｂの先端部分をピン嵌入窪み３５３ｆから引き抜くことで、下部連結棒３５３を連結棒取付部２９ｂから抜き取ることができる。また、再び、下部連結棒３５３を連結棒取付部２９ｂに差し込むことができ（差し込む際には固定ピン２９ｂｂの先端部分が下部連結棒３５３に干渉しないようにやや引いた状態とする）、このとき付勢バネ３５２の付勢力により固定ピン２９ｂｂの先端部分がピン嵌入窪み３５３ｆにうまく嵌入されることで、連結棒取付部２９ｂに下部連結棒３５３が確実に取り付けられる。
下部連結棒３５３の上側部分には、固定ピン３５７の先端が嵌入されるピン嵌入凹部３５３ｈ１、３５３ｈ２、３５３ｈ３が形成されている。ピン嵌入凹部３５３ｈ１、３５３ｈ２、３５３ｈ３は、下部連結棒５３と同様、下部連結棒３５３が形成する該直円柱形状の軸を含む一平面（図１１が示す断面）に沿って等間隔に形成されている。加えて、下部連結棒３５３には、その上端からその長手方向（下部連結棒３５３が形成する該直円柱形状の軸に沿った方向）の所定位置まで連続的にスライド溝５４と同様のスライド溝３５４が形成されている。
【００３８】
上部連結棒３５５は、上端と下端とが開放された円柱状の内部空間３５５ｃを有しており、上部連結棒３５５の内部空間３５５ｃには下部連結棒３５３の上端部分が内嵌されている。内部空間３５５ｃに内嵌された下部連結棒３５３の上端部分近傍に形成されたピン嵌入凹部３５３ｈ２には、付勢バネ３５９により付勢された固定ピン３５７の先端部分が嵌入されており、これによって上部連結棒３５５と下部連結棒３５３との相対的位置が固定されている。なお、固定ピン３５７の頭部分を把持し、付勢バネ３５９の付勢力に抗して固定ピン３５７の先端部分をピン嵌入凹部３５３ｈ２から引き抜いて、上部連結棒３５５と下部連結棒３５３との相対的位置を変えて、ピン嵌入凹部３５３ｈ１、３５３ｈ３に固定ピン３５７の先端部分を嵌入することで連結棒３５１の長さを変更することができる。そして、上部連結棒３５５にはその上端から下端まで連続的にスライド溝３５６が形成されている。スライド溝３５６の該長手方向に対して垂直な断面形状は、該長手方向のいずれの位置においても同じであり、詳細には、該一平面（図１１が示す断面）に沿ってスライド溝３５４と略同じ幅で形成されている。これらスライド溝３５６及びスライド溝３５４には補助背もたれ板８１の縁が嵌入された状態でスライド移動するためのものである。
【００３９】
連結棒３４１は、上方に開放された連結棒取付部２９ａの円柱状の内部空間に下端部分が嵌入されることで取り付けられた下部連結棒３４３と、下部連結棒３４３の上端部分を内嵌する上部連結棒３４５と、上部連結棒３４５に穿設されたピン嵌入孔に遊嵌された固定ピン３４７と、固定ピン３４７の先端を上部連結棒３４５に内嵌された下部連結棒３４３に向けて付勢する付勢バネ３４９と、を有してなる。
【００４０】
下部連結棒３４３は、直円柱形状を有しており、連結棒取付部２９ａの該円柱状の内部空間に下端がちょうど嵌入され、そして嵌入された状態において連結棒取付部２９ａに対して下部連結棒３４３がその軸（下部連結棒３４３が形成する該直円柱形状の軸）を中心に回動不可能に支持されている。そして、下部連結棒３５３と同様、下部連結棒３４３の上側部分には、固定ピン３４７の先端が嵌入されるピン嵌入凹部３４３ｈ１、３４３ｈ２、３４３ｈ３が形成されている。ピン嵌入凹部３４３ｈ１、３４３ｈ２、３４３ｈ３は、下部連結棒４３と同様、下部連結棒３４３が形成する該直円柱形状の軸を含む一平面（図１１が示す断面）に沿って等間隔に形成されている。加えて、下部連結棒３４３には、その上端からその長手方向（下部連結棒３４３が形成する該直円柱形状の軸に沿った方向）の所定位置まで連続的にスライド溝４４と同様のスライド溝３４４が形成されている。
【００４１】
上部連結棒３４５は、上端と下端とが開放された円柱状の内部空間３４５ｃを有しており、上部連結棒３４５の内部空間３４５ｃには下部連結棒３４３の上端部分が内嵌されている。内部空間３４５ｃに内嵌された下部連結棒３４３の上端部分近傍に形成されたピン嵌入凹部３４３ｈ２には、付勢バネ３４９により付勢された固定ピン３４７の先端部分が嵌入されており、これによって上部連結棒３４５と下部連結棒３４３との相対的位置が固定されている。なお、固定ピン３４７の頭部分を把持し、付勢バネ３４９の付勢力に抗して固定ピン３４７の先端部分をピン嵌入凹部３４３ｈ２から引き抜いて、上部連結棒３４５と下部連結棒３４３との相対的位置を変えて、ピン嵌入凹部３４３ｈ１、３４３ｈ３に固定ピン３４７の先端部分を嵌入することで連結棒３４１の長さを変更することができる。そして、上部連結棒３４５にはその上端から下端まで連続的にスライド溝３４６が形成されている。スライド溝３４６の該長手方向に対して垂直な断面形状は、該長手方向のいずれの位置においても同じであり、詳細には、該一平面（図１１が示す断面）に沿ってスライド溝３４４と略同じ幅で形成されている。これらスライド溝３４６及びスライド溝３４４には補助背もたれ板８１の縁が嵌入された状態でスライド移動するためのものである。
なお、ピン嵌入凹部３４３ｈ１、３４３ｈ２、３４３ｈ３は、ピン嵌入凹部３５３ｈ１、３５３ｈ２、３５３ｈ３に対応する位置に形成されており、例えば、固定ピン３５７の先端部分をピン嵌入凹部３５３ｈ１に嵌入すると共に固定ピン３４７の先端部分をピン嵌入凹部３４３ｈ１に嵌入すると連結棒３４１の上端と連結棒３５１の上端とが同じ高さになり、固定ピン３５７、３４７をピン嵌入凹部３５３ｈ２とピン嵌入凹部３４３ｈ２とに嵌入した場合やピン嵌入凹部３５３ｈ３とピン嵌入凹部３４３ｈ３とに嵌入した場合も同様に連結棒３４１の上端と連結棒３５１の上端とが同じ高さになる。
【００４２】
図１１及び図１２に示すように、固定ピン３４７の先端部分をピン嵌入凹部３４３ｈ１、３４３ｈ２、３４３ｈ３のいずれかに嵌入し、固定ピン３５７の先端部分をピン嵌入凹部３５３ｈ１、３５３ｈ２、３５３ｈ３のいずれかに嵌入すると共に固定ピン２９ｂｂの先端部分をピン嵌入窪み３５３ｆに嵌入して連結棒取付部２９ｂに下部連結棒３５３を取り付けた状態（ここでは下部連結棒３４３の下端は連結棒取付部２９ａに固着されている。）では、連結棒３４１、３５１が当接部６１を支持する（即ち、図１１の状態が本椅子１１における図１〜図３の状態に相当する。）。図１１の状態から、固定ピン２９ｂｂの先端部分をピン嵌入窪み３５３ｆから抜くと共に固定ピン３５７の先端部分をピン嵌入凹部３５３ｈ１、３５３ｈ２、３５３ｈ３から抜いた後、下部連結棒３５３を上方（当接部６１の方向）にスライドさせることで、下部連結棒３５３の下端と連結棒取付部２９ｂとの間に隙間を形成することができる。この隙間（通過隙間）を経て使用者１０１の左上腿１０７ａ及び右上腿１０７ｂを、基礎部２１と座部３１とを含む本体部、連結棒３４１、連結棒３５１及び当接部６１によって取り囲まれた上腿貫通穴に出し入れすることができる（即ち、本椅子１１における図６の状態に相当する。）。即ち、本椅子３１１は図１１の状態及びその状態から下部連結棒３５３を上方にスライドさせた状態の両状態をとることで本椅子１１と同様に使用することができる。
なお、本椅子１１と同様、本椅子３１１においても、ピン嵌入凹部３４３ｈ１、３４３ｈ２、３４３ｈ３のいずれに固定ピン３４７の先端部分を嵌入するかにより連結棒３４１の長さを変更し、ピン嵌入凹部３５３ｈ１、３５３ｈ２、３５３ｈ３のいずれに固定ピン３５７の先端部分を嵌入するかにより連結棒３５１の長さを変更することで、当接部６１の高さを調節することができる。
【００４３】
図１３は、本椅子に用いることができる固定ピン５０１と、固定ピン５０１の先端が嵌入されるピン嵌入凹部５２１に向けて固定ピン５０１を付勢する付勢バネ５３１と、の別の例を示す断面図である。図１３に示す通り、固定ピン５０１は、第１の直円柱（半径ｒ１）形状をなす軸部５０５と、軸部５０５の一端に取り付けられた第２の直円柱（半径ｒ２。但しｒ２＞ｒ１。）形状をなす把持部５０３と、軸部５０５の他端に取り付けられた第３の直円柱（半径ｒ３。但しｒ３＞ｒ１。第１の直円柱の軸と第２の直円柱の軸と第３の直円柱の軸とは一直線上に略存する。）形状をなす先端部５０７と、を含んでなる。軸部５０５には、つるまきばね（圧縮ばね）たる付勢バネ５３１が外嵌されており、該つるまきばねの内径ｒｓは、ｒｓ＞ｒ１かつｒ２＞ｒｓかつｒ３＞ｒｓとなっている（なお、付勢バネ５３１の外径は第３の直円柱の外径よりも小さい。）。
【００４４】
外管５５１には内管５６１が内嵌されており、外管５５１には軸部５０５を遊嵌するが把持部５０３、先端部５０７及び付勢バネ５３１が通過不可能な軸部貫通孔５５３が形成されている。さらに、外管５５１の内面５５２（内管５６１に面する面）側には、収容室５５７が軸部貫通孔５５３に連通するように形成されている。収容室５５７は、把持部５０３が把持され、図１３中の矢印Ｑ方向に引き出された状態において、押し縮められた付勢バネ５３１と先端部５０７とを収容可能な大きさ及び形状に形成されている（付勢バネ５３１と先端部５０７とが収容室５５７に収容されることで、外管５５１に対して内管５６１が長手方向に沿って自由に移動可能となる。）。
内管５６１には、収容室５５７に対応する位置にピン嵌入凹部５２１が形成されている。ピン嵌入凹部５２１は、ここでは直円柱に沿った形状をなし、把持部５０３に力が加わっていない際の付勢バネ５３１の一部と先端部５０７と軸部５０５の一部とを収容する。ここではピン嵌入凹部５２１と収容室５５７とを合わせると１の直円柱形状を略形成し、軸部貫通孔５５３も直円柱に略沿った形状をなしているが、該１の直円柱の軸と軸部貫通孔５５３が沿った直円柱の軸との両方の軸は、前記した第１の直円柱の軸と第２の直円柱の軸と第３の直円柱の軸とが略存する一直線の上に略存する。
【００４５】
固定ピン５０１は、圧縮バネである付勢バネ５３１（付勢バネ５３１の一端は外管５５１の係止面５５５に当接し、付勢バネ５３１の他端は先端部５０７に当接している。）の付勢力によって、図１３中の矢印Ｑとは反対方向に付勢されている。これにより先端部５０７がピン嵌入凹部５２１に収容された状態が保持され、外管５５１に対する内管５６１の移動を禁止する。このような図１３の状態から把持部５０３を把持し、付勢バネ５３１の付勢力に抗して固定ピン５０１を図１３中の矢印Ｑ方向に引き出すことで、付勢バネ５３１を押し縮めて先端部５０７をピン嵌入凹部５２１から収容室５５７へ移動させることができる。付勢バネ５３１と先端部５０７とを収容室５５７に収容した後、外管５５１に対して内管５６１を長手方向に沿って自由に移動させることができる。
このような図１３に示した固定ピン５０１及び付勢バネ５３１を含む構造は、上述の本椅子１１、３１１の固定ピン４７及び付勢バネ４９、固定ピン５７及び付勢バネ５９、固定ピン５４ｐ及び付勢バネ５４ｓ、固定ピン２９ｂｂ及び付勢バネ３５２、固定ピン３５７及び付勢バネ３５９、固定ピン３４７及び付勢バネ３４９に替えて用いてもよい。
【００４６】
図１３に示した構造は様々な方法で構成できるが、例えば、図１３中に点線Ｓで示す平面Ｓによって外管５５１を上部（図１３中で平面Ｓより上部分）と下部（図１３中で平面Ｓより下部分）とに分割した状態で準備しておき（収容室５５７と軸部貫通孔５５３とになる部分を該上部及び該下部に形成している）、付勢バネ５３１を外嵌した固定ピン５０１の先端部５０７を図１３に示すようにピン嵌入凹部５２１に収容した後、該上部及び該下部を図１３のように平面Ｓにて接合し（これにより図１３の状態が形成される）、該上部と該下部とを溶接等によって固定してもよい。また、これとは別の方法として、軸部貫通孔５５３を取り囲む外管５５１の部分を外管５５１の残部とは別体（該部分と該残部との境界の例を図１３中に点線Ｔとして示した）としておき、該部分に図１３に示すような状態で、付勢バネ５３１を外嵌した固定ピン５０１を装着した後（例えば、固定ピン５０１から把持部５０３を取り外したものに付勢バネ５３１を外嵌し、軸部５０５を軸部貫通孔５５３に貫通させ、その後、把持部５０３を取り付ける等）、固定ピン５０１の先端部５０７を図１３に示すようにピン嵌入凹部５２１に収容し（これにより図１３の状態が形成される）、該部分と該残部とを境界線（例えば点線Ｔ）に沿って溶接等によって固定するようにしてもよい。
【００４７】
以上説明の通り、本椅子１１、２１１、３１１は、座面３３を上面に有する座部３１を含む本体部（基礎部２１と座部３１とを含んで構成される）と、座面３３に腰掛けた状態の使用者１０１が胸を当接させることができる胸当接面（ここでは当接部６１の表面６１ａ）と、腰掛けた状態の使用者１０１のあご１０３に下方から当接する上面又は上縁に形成されたあご１０３が嵌入される凹部であるあご当接部（上縁窪み６２ｄ）と、を有してなる当接部６１と、腰掛けた状態の使用者１０１が両方の上腿１０７ａ、１０７ｂを正面に向かって伸ばすことができるよう、当接部６１を本体部（基礎部２１及び座部３１）に対して支持する支持部（本椅子１１においては連結棒４１、５１が構成し、本椅子２１１においては連結棒４１、連結棒２５１が構成し、本椅子３１１においては連結棒３４１、３５１が構成する。）と、を備えてなる、椅子である。
そして、本椅子１１、２１１、３１１においては、当接部６１が、腰掛けた状態の使用者１０１の左右の上腕１０４、１０５を支持する左上腕支持部（ここでは一方窪み６３ｄ）及び右上腕支持部（ここでは他方窪み６４ｄ）を有するものである。
【００４８】
本椅子１１、２１１、３１１においては、支持部（本椅子１１では連結棒４１、５１、本椅子２１１では連結棒４１、２５１、本椅子３１１では連結棒３４１、３５１）が、上方に向かって立ち上がるよう下端が本体部（基礎部２１及び座部３１を含んで構成される）に取り付けられると共に上端に当接部６１が取り付けられる第１支持棒（本椅子１１では連結棒５１、本椅子２１１では連結棒２５１、本椅子３１１では連結棒３５１）及び第２支持棒（本椅子１１では連結棒４１、本椅子２１１では連結棒４１、本椅子３１１では連結棒３４１）であって、腰掛けた状態の使用者１０１の正面に向かって伸ばした両方の上腿１０７ａ、１０７ｂを貫通させる上腿貫通穴９１を第１支持棒（本椅子１１では連結棒５１、本椅子２１１では連結棒２５１、本椅子３１１では連結棒３５１）と第２支持棒（本椅子１１では連結棒４１、本椅子２１１では連結棒４１、本椅子３１１では連結棒３４１）と当接部６１と本体部（基礎部２１及び座部３１を含んで構成される）とによって取り囲むように形成する一対配設された第１支持棒（本椅子１１では連結棒５１、本椅子２１１では連結棒２５１、本椅子３１１では連結棒３５１）及び第２支持棒（本椅子１１では連結棒４１、本椅子２１１では連結棒４１、本椅子３１１では連結棒３４１）を有してなるものである。
【００４９】
本椅子１１、２１１、３１１においては、当接部６１と本体部（基礎部２１及び座部３１を含んで構成される）との間を連結する第１支持棒（本椅子１１では連結棒５１、本椅子２１１では連結棒２５１、本椅子３１１では連結棒３５１）のいずれかの位置に、使用者１０１の上腿１０７ａ、１０７ｂを通過させることができる通過隙間（本椅子１１においては図６に示す連結棒５１下端と連結棒取付部２９ｂとの間の隙間９８が該当する。本椅子２１１においては通過隙間３０１が該当する。本椅子３１１においては図１１の状態から下部連結棒３５３を上方にスライドさせて下部連結棒３５３下端と連結棒取付部２９ｂとの間に形成される隙間が該当する。）を形成可能なものである。
本椅子１１、２１１、３１１においては、第１支持棒（本椅子１１では連結棒５１、本椅子２１１では連結棒２５１、本椅子３１１では連結棒３５１）の下端が本体部（基礎部２１及び座部３１を含んで構成される）に着脱自在にされると共に、該下端が本体部（基礎部２１及び座部３１を含んで構成される）から取り外された状態において該下端と本体部（基礎部２１及び座部３１を含んで構成される）との間に通過隙間を形成可能なものである。
本椅子１１においては、第２支持棒（連結棒４１）の下端が本体部（基礎部２１及び座部３１を含んで構成される）に対して回動可能に形成されており、第１支持棒（連結棒５１）の下端を本体部（基礎部２１及び座部３１を含んで構成される）から取り外して第２支持棒（連結棒４１）の下端を本体部（基礎部２１及び座部３１を含んで構成される）に対して回動させることで第１支持棒（連結棒５１）の下端と本体部（基礎部２１及び座部３１を含んで構成される）との間に通過隙間（隙間９８）を形成するものである。
【００５０】
本椅子１１、２１１、３１１においては、上腿貫通穴９１の少なくとも一部を塞ぐことで背もたれの一部を構成する補助背もたれ部（補助背もたれ板８１）を備えてなるものである。
本椅子１１、２１１、３１１においては、補助背もたれ部（補助背もたれ板８１）が、第１支持棒（本椅子１１では連結棒５１、本椅子２１１では連結棒２５１、本椅子３１１では連結棒３５１）及び第２支持棒（本椅子１１では連結棒４１、本椅子２１１では連結棒４１、本椅子３１１では連結棒３４１）に沿ってスライド自在な板状部材によって形成され、該板状部材の上縁を含む少なくとも一部が当接部６１の内部（内部空間６７）に収容可能なものである。
本椅子１１、２１１、３１１においては、補助背もたれ部（補助背もたれ板８１）を形成する前記板状部材の少なくとも一部が当接部６１の内部（内部空間６７）に収容された状態において、該板状部材が当接部６１の内部（内部空間６７）から脱出することを防止する脱出防止部（ここでは互いに引き合う磁石６９と磁石８２とにより構成される）を有するものである。
本椅子１１、２１１、３１１においては、補助背もたれ部（補助背もたれ板８１）を形成する前記板状部材の側縁がスライド自在に嵌入される側縁嵌入溝（連結棒４１においてはスライド溝４６及びスライド溝４４である。連結棒５１においてはスライド溝５６及びスライド溝５４である。連結棒２５１も図示しないが連結棒５１と同様のスライド溝が形成されている。連結棒３４１においてはスライド溝３４６及びスライド溝３４４である。連結棒３５１においてはスライド溝３５６及びスライド溝３５４である。）が第１支持棒（本椅子１１では連結棒５１、本椅子２１１では連結棒２５１、本椅子３１１では連結棒３５１）及び第２支持棒（本椅子１１では連結棒４１、本椅子２１１では連結棒４１、本椅子３１１では連結棒３４１）に連続的に形成されているものである。
【００５１】
本椅子１１、２１１、３１１においては、腰掛けた状態の使用者１０１に対して当接部６１の高さが、異なる少なくとも２以上の値を取り得るものである。具体的には、本椅子１１であれば、ピン嵌入凹部４３ｈ１、４３ｈ２、４３ｈ３のいずれに固定ピン４７の先端部分を嵌入するかにより連結棒４１の長さを変更し、ピン嵌入凹部５３ｈ１、５３ｈ２、５３ｈ３のいずれに固定ピン５７の先端部分を嵌入するかにより連結棒５１の長さを変更することで、当接部６１の高さを調節することができる。本椅子２１１であれば、ピン嵌入凹部４３ｈ１、４３ｈ２、４３ｈ３のいずれに固定ピン４７の先端部分を嵌入するかにより連結棒４１の長さを変更し、複数のピン嵌入孔２５４のいずれに固定ピン２５３を嵌入するかにより連結棒２５１の長さを変更することで、当接部６１の高さを調節することができる。本椅子３１１であれば、ピン嵌入凹部３４３ｈ１、３４３ｈ２、３４３ｈ３のいずれに固定ピン３４７の先端部分を嵌入するかにより連結棒３４１の長さを変更し、ピン嵌入凹部３５３ｈ１、３５３ｈ２、３５３ｈ３のいずれに固定ピン３５７の先端部分を嵌入するかにより連結棒３５１の長さを変更することで、当接部６１の高さを調節することができる。
【００５２】
かかる本椅子１１、２１１、３１１は、上述の如く、使用者１０１が椅子へ着座することによる首のこりや肩こり等の疲労を減少させることができるので、長時間の快適な着座を可能ならしめ、例えば、着座して行う食事、読書、事務仕事を快適なものとすることができる。さらに、本椅子１１、２１１、３１１は、身体的な障害を有する者や高齢者の着座を楽にすることができる。加えて、使用者１０１の着座体勢も好ましいものとすることができる。
また、本椅子１１、２１１、３１１はその使用状態や目的に応じ、様々な変更が可能であり、例えば、床面に対して本椅子１１、２１１、３１１を容易に移動させるためには基礎部２１の下面に車輪を設けるようにしてもよい。
【符号の説明】
【００５３】
１１              本椅子
２１              基礎部
２３ａ、２３ｂ、２３ｃ、２３ｄ  棒状基礎部
２５              柱状基礎部
２７              板状基礎部
２９ａ、２９ｂ    連結棒取付部
２９ｂｂ          固定ピン
３１              座部
３３              座面
４１              連結棒
４３              下部連結棒
４３ｈ１、４３ｈ２、４３ｈ３  ピン嵌入凹部
４４              スライド溝
４４ａ            奥面
４４ｂ、４４ｃ    側面
４５              上部連結棒
４５ｃ            内部空間
４６              スライド溝
４７              固定ピン
４７ｂ            頭部分
４９              付勢バネ
５１              連結棒
５２              下部スライド筒
５２ｃ            内部空間
５３              下部連結棒
５３ｈａ          ピン嵌入凹部
５３ｈ１、５３ｈ２、５３ｈ３  ピン嵌入凹部
５４              スライド溝
５４ｐ            固定ピン
５４ｐｂ          頭部分
５４ｓ            付勢バネ
５５              上部連結棒
５５ｃ            内部空間
５６              スライド溝
５７              固定ピン
５９              付勢バネ
６１              当接部
６１ａ            表面
６１ｂ            背面
６２              上縁部
６２ｄ            上縁窪み
６３、６４        側縁
６３ｄ            一方窪み
６４ｄ            他方窪み
６５              下縁
６７              内部空間
６８              開口
６９              磁石
８１              補助背もたれ板
８１ａ            当接面
８１ｂ            裏面
８１ｃ            下端
８１ｄ１、８１ｄ２  側縁
８２              磁石
９１              上腿貫通穴
１０１              使用者
１０２              頭部
１０３              あご
１０４              左上腕
１０５              右上腕
１０７ａ            左上腿
１０７ｂ            右上腿
１０８              首の後
２０１              床面
２１１              本椅子
２２９ｂ            連結棒取付部
２２９ｂ１          板状部材の一方
２５１              連結棒
２５２              固定ピン
２５２ａ            板状部材の一方
２５３              固定ピン
２５４              ピン嵌入孔
２５５              回動棒
２５６              ピン嵌入孔
３０１              通過隙間
３１１              本椅子
３４１              連結棒
３４３              下部連結棒
３４３ｈ１、３４３ｈ２、３４３ｈ３  ピン嵌入凹部
３４４              スライド溝
３４５              上部連結棒
３４５ｃ            内部空間
３４６              スライド溝
３４７              固定ピン
３４９              付勢バネ
３５１              連結棒
３５２              付勢バネ
３５３              下部連結棒
３５３ｈ１、３５３ｈ２、３５３ｈ３  ピン嵌入凹部
３５３ｆ            ピン嵌入窪み
３５４              スライド溝
３５５              上部連結棒
３５５ｃ            内部空間
３５６              スライド溝
３５７              固定ピン
３５９              付勢バネ
５０１              固定ピン
５０３              把持部
５０５              軸部
５０７              先端部
５２１              ピン嵌入凹部
５３１              付勢バネ
５５１              外管
５５２              内面
５５３              軸部貫通孔
５５５              係止面
５５７              収容室
５６１              内管
【図１】
2014124192.tif 000003
【図２】
2014124192.tif 000004
【図３】
2014124192.tif 000005
【図４】
2014124192.tif 000006
【図５】
2014124192.tif 000007
【図６】
2014124192.tif 000008
【図７】
2014124192.tif 000009
【図８】
2014124192.tif 000010
【図９】
2014124192.tif 000011
【図１０】
2014124192.tif 000012
【図１１】
2014124192.tif 000013
【図１２】
2014124192.tif 000014
【図１３】
2014124192.tif 000015
【手続補正書】
【提出日】平成25年5月7日(2013.5.7)
【手続補正１】
【補正対象書類名】特許請求の範囲
【補正対象項目名】全文
【補正方法】変更
【補正の内容】
【特許請求の範囲】
【請求項１】
座面を上面に有する座部を含む本体部と、
座面に腰掛けた状態の使用者が胸を当接させることができる胸当接面と、腰掛けた状態の使用者のあごに下方から当接する上面又は上縁に形成されたあごが嵌入される凹部であるあご当接部と、を有してなる当接部と、
腰掛けた状態の使用者が両方の上腿を正面に向かって伸ばすことができるよう、当接部を本体部に対して支持する支持部と、
を備えてなり、
支持部が、上方に向かって立ち上がるよう下端が本体部に取り付けられると共に上端に当接部が取り付けられる第１支持棒及び第２支持棒であって、腰掛けた状態の使用者の正面に向かって伸ばした両方の上腿を貫通させる上腿貫通穴を第１支持棒と第２支持棒と当接部と本体部とによって取り囲むように形成する一対配設された第１支持棒及び第２支持棒を有してなるものである、椅子。
【請求項２】
当接部が、腰掛けた状態の使用者の左右の上腕を支持する左上腕支持部及び右上腕支持部を有するものである、請求項１に記載の椅子。
【請求項３】
当接部と本体部との間を連結する第１支持棒のいずれかの位置に、使用者の上腿を通過させることができる通過隙間を形成可能なものである、請求項１又は２に記載の椅子。
【請求項４】
第１支持棒の下端が本体部に着脱自在にされると共に、該下端が本体部から取り外された状態において該下端と本体部との間に通過隙間を形成可能なものである、請求項３に記載の椅子。
【請求項５】
第２支持棒の下端が本体部に対して回動可能に形成されており、第１支持棒の下端を本体部から取り外して第２支持棒の下端を本体部に対して回動させることで第１支持棒の下端と本体部との間に通過隙間を形成するものである、請求項４に記載の椅子。
【請求項６】
上腿貫通穴の少なくとも一部を塞ぐことで背もたれの一部を構成する補助背もたれ部を備えてなるものである、請求項１乃至５のいずれか１に記載の椅子。
【請求項７】
補助背もたれ部が、第１支持棒及び第２支持棒に沿ってスライド自在な板状部材によって形成され、該板状部材の上縁を含む少なくとも一部が当接部の内部に収容可能なものである、請求項６に記載の椅子。
【請求項８】
補助背もたれ部を形成する前記板状部材の少なくとも一部が当接部の内部に収容された状態において、該板状部材が当接部の内部から脱出することを防止する脱出防止部を有するものである、請求項７に記載の椅子。
【請求項９】
補助背もたれ部を形成する前記板状部材の側縁がスライド自在に嵌入される側縁嵌入溝が第１支持棒及び第２支持棒に連続的に形成されているものである、請求項７又は８に記載の椅子。
【請求項１０】
腰掛けた状態の使用者に対して当接部の高さが、異なる少なくとも２以上の値を取り得るものである、請求項１乃至９のいずれか１に記載の椅子。